(57)【要約】【課題】音響条件を設定する際の専門用語またはパラメータの意味を、ユーザに体感可能に伝える。【解決手段】操作判定部１０２が入力された操作がサンプル再生画面への画面遷移を要求する操作であると判定した場合に、サンプル再生画面を描画し、描画した当該サンプル再生画面において選択されたサンプル音楽の音響条件を外部機器に設定する制御を行うサンプル再生制御部１０３ｂと、操作判定部１０２が、入力された操作が詳細設定画面への画面遷移を要求する操作であると判定した場合に、詳細設定画面を描画し、描画した当該詳細設定画面においてユーザ操作によって調整された音響条件を外部機器に設定する制御を行う詳細設定制御部１０３ｃとを備える。【選択図】図１
2018191122.tif 000002
【特許請求の範囲】
【請求項１】
外部機器の音響条件の設定操作を受け付ける音響設定画面において、入力された操作が、前記音響条件を、予め蓄積されたサンプル音楽の選択により調整するサンプル再生画面への画面遷移を要求する操作であるか、または前記音響条件を、ユーザ操作に基づいて調整する詳細設定画面への画面遷移を要求する操作であるか判定を行う操作判定部と、
前記操作判定部が前記入力された操作が前記サンプル再生画面への画面遷移を要求する操作であると判定した場合に、前記サンプル再生画面を描画し、描画した当該サンプル再生画面において選択されたサンプル音楽の音響条件を前記外部機器に設定する制御を行うサンプル再生制御部と、
前記操作判定部が、前記入力された操作が前記詳細設定画面への画面遷移を要求する操作であると判定した場合に、前記詳細設定画面を描画し、描画した当該詳細設定画面において前記ユーザ操作によって調整された音響条件を前記外部機器に設定する制御を行う詳細設定制御部とを備えた音響制御装置。
【請求項２】
前記サンプル再生制御部は、異なる音響条件それぞれに対応したサンプル音楽の選択を受け付けるショートカットボタンを、前記サンプル再生画面に描画する制御を行うことを特徴とする請求項１記載の音響制御装置。
【請求項３】
前記操作判定部は、前記サンプル再生画面に描画された前記ショートカットボタンのいずれかを選択したユーザ操作が、前記詳細設定画面への画面遷移を要求する操作であるか否か判定を行い、
前記詳細設定制御部は、前記操作判定部が、前記ユーザ操作が前記詳細設定画面への画面遷移を要求する操作であると判定した場合に、前記選択されたショートカットボタンに対応付けられたサンプル音楽の音響条件を反映した前記詳細設定画面を描画する制御を行うことを特徴とする請求項２記載の音響制御装置。
【請求項４】
前記サンプル再生制御部は、前記操作判定部が、前記ユーザ操作が前記詳細設定画面への画面遷移を要求する操作でないと判定した場合に、前記選択されたショートカットボタンに対応付けられたサンプル音楽の音響条件を前記外部機器に設定する制御を行うことを特徴とする請求項２または請求項３記載の音響制御装置。
【請求項５】
前記サンプル再生制御部は、前記サンプル再生画面において、前記選択されたサンプル音楽の音響条件の文字情報を表示する制御を行うことを特徴とする請求項１から請求項４のうちのいずれか１項記載の音響制御装置。
【請求項６】
前記音響設定画面から前記詳細設定画面への画面遷移を要求する操作が短押しまたは単押しであり、前記音響設定画面から前記サンプル再生画面への画面遷移を要求する操作が長押しまたは二度押しであることを特徴とする請求項１から請求項５のうちのいずれか１項記載の音響制御装置。
【請求項７】
前記外部機器が車両に搭載された音響装置であり、
請求項１から請求項６のうちのいずれか１項記載の音響装置を前記車両に搭載したことを特徴とする車載音響制御装置。
【請求項８】
外部機器の音響条件の設定操作を受け付ける音響設定画面において、入力された操作が、前記音響条件を、予め蓄積されたサンプル音楽の選択により調整するサンプル再生画面への画面遷移を要求する操作であるか、または前記音響条件を、ユーザ操作に基づいて調整する詳細設定画面への画面遷移を要求する操作であるか判定を行う手順と、
前記入力された操作が前記サンプル再生画面への画面遷移を要求する操作であると判定された場合に、前記サンプル再生画面を描画し、描画した当該サンプル再生画面において選択されたサンプル音楽の音響条件を前記外部機器に設定する制御を行う手順と、
前記入力された操作が前記詳細設定画面への画面遷移を要求する操作であると判定された場合に、前記詳細設定画面を描画し、描画した当該詳細設定画面において前記ユーザ操作によって調整された音響条件を前記外部機器に設定する制御を行う手順とをコンピュータに実行させるための音響制御プログラム。
【発明の詳細な説明】
【技術分野】
【０００１】
この発明は、外部機器の音響条件の設定操作に関する技術である。
【背景技術】
【０００２】
従来より、外部機器の条件を設定する操作について、操作ガイダンスを表示する技術が存在する。当該技術において、ユーザがタッチパネルを操作することにより、操作に関連した項目のガイダンス情報が表示される技術が提案されている。
例えば、特許文献１には、外部機器に関する各種状態を含む表示を行うための状態表示部品と、外部機器の制御および状態表示部品での表示制御を行うための入力操作を行う入力操作部品とを含む部品に関する動作機能が定義された部品データ、および当該部品に関する操作ガイダンスが記憶され、部品データに設定されている動作機能に従い動作する通常動作モードと、部品に関する操作ガイダンスを表示するガイダンス表示モードとを有し、通常動作モードと、ガイダンス表示モードとを切り替えて表示するプログラマブル表示器が開示されている。
【先行技術文献】
【特許文献】
【０００３】
【特許文献１】特開２０１１−５４１３０号公報
【発明の概要】
【発明が解決しようとする課題】
【０００４】
しかし、上記特許文献１に記載された技術を外部機器である音響装置に適用した場合、音響条件を設定する際の専門用語またはパラメータの意味を、操作ガイダンスのみでユーザに伝えることは困難であり、その結果、音響装置に備わっている音響条件の設定機能をユーザが使いこなすことができないという課題があった。
【０００５】
この発明は、上記のような課題を解決するためになされたもので、音響条件を設定する際の専門用語またはパラメータの意味を、ユーザに体感可能に伝えることを目的とする。
【課題を解決するための手段】
【０００６】
この発明による音響制御装置は、外部機器の音響条件の設定操作を受け付ける音響設定画面において、入力された操作が、音響条件を、予め蓄積されたサンプル音楽の選択により調整するサンプル再生画面への画面遷移を要求する操作であるか、または音響条件を、ユーザ操作に基づいて調整する詳細設定画面への画面遷移を要求する操作であるか判定を行う操作判定部と、操作判定部が入力された操作がサンプル再生画面への画面遷移を要求する操作であると判定した場合に、サンプル再生画面を描画し、描画した当該サンプル再生画面において選択されたサンプル音楽の音響条件を外部機器に設定する制御を行うサンプル再生制御部と、操作判定部が、入力された操作が詳細設定画面への画面遷移を要求する操作であると判定した場合に、詳細設定画面を描画し、描画した当該詳細設定画面においてユーザ操作によって調整された音響条件を外部機器に設定する制御を行う詳細設定制御部とを備えるものである。
【発明の効果】
【０００７】
この発明によれば、音響条件を設定する際の専門用語またはパラメータの意味を、ユーザが体感することができる。これにより、ユーザは、外部機器である音響装置に備わっている音響条件の設定機能を使いこなすことが可能となる。
【図面の簡単な説明】
【０００８】
【図１】図１は、実施の形態１に係る音響制御装置の構成を示すブロック図である。
【図２】図２Ａ，図２Ｂ，図２Ｃは、実施の形態１に係る音響制御装置の制御部による描画制御に基づいて表示される画面例を示す図である。
【図３】図３Ａ、図３Ｂは、実施の形態１に係る音響制御装置のハードウェア構成例を示す図である。
【図４】実施の形態１に係る音響制御装置の動作を示すフローチャートである。
【発明を実施するための形態】
【０００９】
実施の形態１．
図１は、実施の形態１に係る音響制御装置１００の構成を示すブロック図である。
図１に示すように、音響制御装置１００は、操作情報取得部１０１、操作判定部１０２、制御部１０３、描画データ蓄積部１０４およびサンプル音楽蓄積部１０５で構成されている。制御部１０３は、音響設定制御部１０３ａ、サンプル再生制御部１０３ｂおよび詳細設定制御部１０３ｃを備える。
また、音響制御装置１００には、タッチパネル２００、ディスプレイ３００、および外部機器として音響装置４００が接続されている。音響装置４００はスピーカ４０１を有している。ディスプレイ３００の表示部分がタッチパネルで構成されている場合には、ディスプレイ３００とタッチパネル２００とが一体の装置で構成される。なお、タッチパネル２００は、入力装置の一例であり、タッチパネルに限定されるものではない。
【００１０】
操作情報取得部１０１は、タッチパネル２００を介して入力されたユーザ操作の操作情報を取得する。操作情報は、例えば、いずれの表示画面に対するユーザ操作であるかを示す情報、ユーザ操作が入力された領域の位置情報、およびユーザ操作の操作種別（例えば、長押しであるか、短押しであるか、シングルクリック（単押し）であるかまたはダブルクリック（二度押し）であるか等）を示す情報等である。ここで、長押しは３秒以上継続したタッチ操作、短押しは１秒以下のタッチ操作等、予め条件が設定されているものとする。
【００１１】
操作判定部１０２は、操作情報取得部１０１が取得した操作情報を参照し、入力されたユーザ操作が、現在、ディスプレイ３００に表示された表示画面に表示された情報を選択する操作であるか、ディスプレイ３００に表示された表示画面から異なる表示画面への画面遷移を要求する操作であるか判定を行う。操作判定部１０２は、判定結果に応じて操作情報を制御部１０３の、音響設定制御部１０３ａ、サンプル再生制御部１０３ｂまたは詳細設定制御部１０３ｃのいずれかに出力する。
【００１２】
制御部１０３の音響設定制御部１０３ａは、操作判定部１０２から入力された操作情報に基づいて、ディスプレイ３００に表示する音響設定画面を描画する制御を行う。また、音響設定制御部１０３ａは、操作判定部１０２から入力された操作情報に基づいて、音響条件を音響装置４００に設定する制御を行う。
音響設定制御部１０３ａは、描画データ蓄積部１０４に格納された描画データを参照し、上述した音響設定画面の描画を行う。音響設定制御部１０３ａは、サンプル音楽蓄積部１０５に格納された音響条件を参照し、音響装置４００に設定する。
【００１３】
サンプル再生制御部１０３ｂは、操作判定部１０２から入力された操作情報に基づいて、ディスプレイ３００に表示するサンプル再生画面を描画する制御を行う。また、サンプル再生制御部１０３ｂは、操作判定部１０２から入力された操作情報に基づいて、サンプル音楽をスピーカ４０１から出力する制御、およびサンプル音楽の詳細を示した文字情報をディスプレイ３００に表示する制御を行う。サンプル再生制御部１０３ｂは、ユーザによってあるサンプル音楽が選択された場合に、選択されたサンプル音楽の音響条件を設定条件として取得し、音響装置４００に設定する制御を行う。
サンプル再生制御部１０３ｂは、描画データ蓄積部１０４に格納された描画データを参照し、上述したサンプル再生画面を描画する。サンプル再生制御部１０３ｂは、サンプル音楽蓄積部１０５に格納されたサンプル音楽、サンプル音楽の文字情報およびサンプル音楽の音響条件を参照し、上述したサンプル音楽の出力、サンプル音楽の文字情報の表示制御および音響条件の決定を行う。
【００１４】
詳細設定制御部１０３ｃは、操作判定部１０２から入力された操作情報に基づいて、ディスプレイ３００に表示する詳細設定画面を描画する制御を行う。また、詳細設定制御部１０３ｃは、操作判定部１０２から入力された操作情報に基づいて、サンプル音楽の音響条件を調整し、調整したサンプル音楽をスピーカ４０１から出力する制御を行う。詳細設定制御部１０３ｃは、音響条件の調整が終了すると、調整された音響条件を設定条件として取得し、音響装置４００に設定する制御を行う。
詳細設定制御部１０３ｃは、描画データ蓄積部１０４に格納された描画データを参照し、上述した詳細設定画面の描画を行う。詳細設定制御部１０３ｃは、サンプル音楽蓄積部１０５に格納されたサンプル音楽およびサンプル音楽の音響条件を参照し、上述した音響条件の調整およびサンプル音楽の出力を行う。
【００１５】
描画データ蓄積部１０４は、音響設定画面、サンプル再生画面および詳細設定画面を描画するための描画データを蓄積している。
サンプル音楽蓄積部１０５は、サンプル音楽の音楽データ、サンプル音楽の詳細を示した文字情報、およびサンプル音楽の音響条件を蓄積している。ここで、サンプル音楽とは、予め設定された音楽であり、音響条件を変化させた際に、当該変化をユーザが体感可能な音楽が用意されている。例えば、音響条件のうち低音を変化させた場合に、低音の変化をユーザが認識できる音楽がサンプル音楽として用意されている。
【００１６】
次に、音響設定制御部１０３ａ、サンプル再生制御部１０３ｂおよび詳細設定制御部１０３ｃの描画制御に基づいて、ディスプレイ３００に表示される画面について説明する。
図２Ａ、図２Ｂ、図２Ｃは、実施の形態１に係る音響制御装置１００の制御部１０３による描画制御に基づいてディスプレイ３００に表示される画面例を示す図である。
図２Ａは音響設定画面の画面例、図２Ｂはサンプル再生画面の画面例、図２Ｃは詳細設定画面の画面例を示している。
【００１７】
ユーザ操作に基づいて、図２Ａで示した音響設定画面から図２Ｂのサンプル再生画面への遷移および図２Ｃの詳細設定画面への遷移が可能である。同様にユーザ操作に基づいて、図２Ｂで示したサンプル再生画面から、図２Ａで示した音響設定画面への遷移および図２Ｃで示した詳細設定画面への遷移が可能である。同様に、ユーザ操作に基づいて、図２Ｃで示した詳細設定画面から図２Ａの音響設定画面への遷移が可能である。
【００１８】
図２Ａで示した音響設定画面において、ユーザが選択可能な設定項目の例として、「トーンコントロール」、「イコライザ」および「ラウドネス」を挙げている。ここで、設定項目「トーンコントロール」とは、低音域（例えば１００Ｈｚ）と高音域（例えば１０ｋＨｚ）の音量を調整し、音のバランスを調整する機能である。設定項目「イコライザ」とは、周波数特性を補正する機能である。設定項目「ラウドネス」とは、小さな音量で聴いている場合に、不足することが多い低音域または高音域を増幅する機能である。
【００１９】
図２Ａで示した音響設定画面において入力されたユーザ操作Ａの操作種別が設定項目「イコライザ」を「長押し」する操作であった場合、操作判定部１０２はユーザ操作Ａが図２Ｂのサンプル再生画面への画面遷移を要求する操作であると判定する。操作判定部１０２は、当該判定結果を含む操作情報をサンプル再生制御部１０３ｂに出力する。サンプル再生制御部１０３ｂは、描画データ蓄積部１０４に格納された描画データを参照し、図２Ｂに示したサンプル再生画面を描画する制御を行う。
一方、ユーザ操作Ａの操作種別が設定項目「イコライザ」を「短押し」する操作であった場合、操作判定部１０２はユーザ操作Ａが図２Ｃの詳細設定画面への画面遷移を要求する操作であると判定する。操作判定部１０２は、当該判定結果を含む操作情報を詳細設定制御部１０３ｃに出力する。詳細設定制御部１０３ｃは、描画データ蓄積部１０４に格納された描画データを参照し、図２Ｃに示した詳細設定画面を描画する制御を行う。
【００２０】
また、図２Ａで示した音響設定画面において、ユーザ操作Ｂが入力された場合、操作判定部１０２はユーザ操作Ｂが設定項目「トーンコントロール」の「ＯＮ」を選択する操作であると判定する。操作判定部１０２は、当該判定結果を含む操作情報を音響設定制御部１０３ａに出力する。音響設定制御部１０３ａは、サンプル音楽蓄積部１０５に格納された音響条件を参照し、「トーンコントロール」を「ＯＮ」する音響条件を音響装置４００に設定する制御を行う。
【００２１】
サンプル再生制御部１０３ｂは、上述した設定項目「イコライザ」を長押しする操作に基づいて、描画データ蓄積部１０４に格納された描画データを参照し、図２Ｂに示したサンプル再生画面を描画する制御を行う。図２Ｂで示したサンプル再生画面では、設定項目「イコライザ」のサンプル音楽を再生するためのサンプル再生領域Ｃが表示されている。サンプル再生領域Ｃ内には、設定項目「イコライザ」のサンプル音楽を選択するためのショートカットボタンＤａ，Ｄｂ，Ｄｃが表示される。
【００２２】
ショートカットボタンＤａを選択するユーザ操作Ｅ（長押し）が入力されると、サンプル再生制御部１０３ｂは、サンプル音楽蓄積部１０５に格納されたサンプル音楽を参照し、サンプル１のサンプル音楽をスピーカ４０１から出力する制御を行う。また、サンプル再生制御部１０３ｂは、サンプル音楽蓄積部１０５に格納されたサンプル音楽の文字情報を参照し、説明表示領域Ｆにサンプル１のサンプル音楽の詳細を示した文字情報を表示する制御を行う。図２Ｂの例では、説明表示領域Ｆに「サンプル１は・・・低音を強調しています」との文字情報が表示されている。また、図２Ｂの例では、サンプル再生制御部１０３ｂは、ショートカットボタンＤａに「再生中」の文字を表示する制御を行う。
【００２３】
次に、図２Ｂで示したサンプル１のサンプル音楽が再生制御されている状態で、再度ショートカットボタンＤａを短押しするユーザ操作が入力されると、操作判定部１０２は、サンプル１のサンプル音楽の音響条件が選択されたと判定する。サンプル再生制御部１０３ｂは、操作判定部１０２の判定結果に基づいて、サンプル音楽蓄積部１０５に格納された音響条件を参照し、サンプル１のサンプル音楽の音響条件を音響装置４００に設定する制御を行う。その後、操作判定部１０２は、音響設定制御部１０３ａに対して音響設定画面の描画を指示する。音響設定制御部１０３ａは、当該指示に基づき、描画データ蓄積部１０４に格納された描画データを参照し、図２Ａで示した音響設定画面を描画する制御を行う。
【００２４】
一方、図２Ｂで示したサンプル１のサンプル音楽が再生制御されている状態で、再度ショートカットボタンＤａを長押しするユーザ操作が入力されると、操作判定部１０２は、サンプル１のサンプル音楽の音響条件の詳細設定画面への画面遷移を要求する操作であると判定する。操作判定部１０２は、当該判定結果を含む操作情報を詳細設定制御部１０３ｃに出力する。詳細設定制御部１０３ｃは、描画データ蓄積部１０４に格納された描画データを参照し、図２Ｃに示した詳細設定画面を描画する制御を行う。図２Ｃの例では、詳細設定領域Ｇにサンプル１のサンプル音楽の音響条件が調整可能に表示されている。詳細設定領域Ｇにおいて音響条件を調整するユーザ操作Ｈが入力され、調整ボタンＪが押下されると、操作判定部１０２は、音響条件が調整されたと判定する。詳細設定制御部１０３ｃは、操作判定部１０２の判定結果に基づいて、サンプル音楽蓄積部１０５に格納された音響条件を参照し、調整された音響条件を音響装置４００に設定する制御を行う。
【００２５】
一方、詳細設定領域Ｇにおいて終了ボタンＫが押下されると、操作判定部１０２は、音響条件の調整が終了したと判定する。操作判定部１０２は、音響設定制御部１０３ａに対して音響設定画面の描画を指示する。音響設定制御部１０３ａは、当該指示に基づき、描画データ蓄積部１０４に格納された描画データを参照し、図２Ａで示した音響設定画面を描画する制御を行う。
【００２６】
次に、音響制御装置１００のハードウェア構成例を説明する。
図３Ａおよび図３Ｂは、音響制御装置１００のハードウェア構成例を示す図である。
音響制御装置１００における操作情報取得部１０１、操作判定部１０２、音響設定制御部１０３ａ、サンプル再生制御部１０３ｂおよび詳細設定制御部１０３ｃの各機能は、処理回路により実現される。即ち、音響制御装置１００は、上記各機能を実現するための処理回路を備える。当該処理回路は、図３Ａに示すように専用のハードウェアである処理回路１００ａであってもよいし、図３Ｂに示すようにメモリ１００ｃに格納されているプログラムを実行するプロセッサ１００ｂであってもよい。
【００２７】
図３Ａに示すように、操作情報取得部１０１、操作判定部１０２、音響設定制御部１０３ａ、サンプル再生制御部１０３ｂおよび詳細設定制御部１０３ｃが専用のハードウェアである場合、処理回路１００ａは、例えば、単一回路、複合回路、プログラム化したプロセッサ、並列プログラム化したプロセッサ、ＡＳＩＣ（Application Specific Integrated Circuit）、ＦＰＧＡ（Field-programmable Gate Array）、またはこれらを組み合わせたものが該当する。操作情報取得部１０１、操作判定部１０２、音響設定制御部１０３ａ、サンプル再生制御部１０３ｂおよび詳細設定制御部１０３ｃの各部の機能それぞれを処理回路で実現してもよいし、各部の機能をまとめて１つの処理回路で実現してもよい。
【００２８】
図３Ｂに示すように、操作情報取得部１０１、操作判定部１０２、音響設定制御部１０３ａ、サンプル再生制御部１０３ｂおよび詳細設定制御部１０３ｃがプロセッサ１００ｂである場合、各部の機能は、ソフトウェア、ファームウェア、またはソフトウェアとファームウェアとの組み合わせにより実現される。ソフトウェアまたはファームウェアはプログラムとして記述され、メモリ１００ｃに格納される。プロセッサ１００ｂは、メモリ１００ｃに記憶されたプログラムを読み出して実行することにより、操作情報取得部１０１、操作判定部１０２、音響設定制御部１０３ａ、サンプル再生制御部１０３ｂおよび詳細設定制御部１０３ｃの各機能を実現する。即ち、操作情報取得部１０１、操作判定部１０２、音響設定制御部１０３ａ、サンプル再生制御部１０３ｂおよび詳細設定制御部１０３ｃは、プロセッサ１００ｂにより実行されるときに、後述する図４に示す各ステップが結果的に実行されることになるプログラムを格納するためのメモリ１００ｃを備える。また、これらのプログラムは、操作情報取得部１０１、操作判定部１０２、音響設定制御部１０３ａ、サンプル再生制御部１０３ｂおよび詳細設定制御部１０３ｃの手順または方法をコンピュータに実行させるものであるともいえる。
【００２９】
ここで、プロセッサ１００ｂとは、例えば、ＣＰＵ（Central Processing Unit）、処理装置、演算装置、プロセッサ、マイクロプロセッサ、マイクロコンピュータ、またはＤＳＰ（Digital Signal Processor）などのことである。
メモリ１００ｃは、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ（Compact Disc）、ＤＶＤ（Digital Versatile Disc）等の光ディスクであってもよい。
【００３０】
なお、操作情報取得部１０１、操作判定部１０２、音響設定制御部１０３ａ、サンプル再生制御部１０３ｂおよび詳細設定制御部１０３ｃの各機能について、一部を専用のハードウェアで実現し、一部をソフトウェアまたはファームウェアで実現するようにしてもよい。このように、音響制御装置１００における処理回路１００ａは、ハードウェア、ソフトウェア、ファームウェア、またはこれらの組み合わせによって、上述の各機能を実現することができる。
【００３１】
次に、音響制御装置１００の動作について説明する。
図４は、実施の形態１に係る音響制御装置１００の動作を示すフローチャートである。
図４のフローチャートでは、ディスプレイ３００に音響設定画面が表示され、当該音響設定画面における設定項目のボタンが押下された場合の動作を示している。
操作情報取得部１０１から音響設定画面における設定項目のボタンが押下されたことを示す操作情報が入力されると（ステップＳＴ１）、操作判定部１０２は、操作情報の操作種別が予め設定された第１の操作（例えば、長押し）であるか否か判定を行う（ステップＳＴ２）。第１の操作でなかった場合（ステップＳＴ２；ＮＯ）、フローチャートはステップＳＴ１０の処理に進む。
【００３２】
一方、第１の操作であった場合（ステップＳＴ２；ＹＥＳ）、操作判定部１０２はサンプル再生制御部１０３ｂに対してサンプル再生画面への画面遷移を指示する（ステップＳＴ３）。サンプル再生制御部１０３ｂは、ステップＳＴ３で入力された指示に基づいて、サンプル再生画面を描画する制御を行う（ステップＳＴ４）。ステップＳＴ４の描画制御により表示されたサンプル再生画面において、サンプル音楽を選択するユーザ操作が入力されると、操作判定部１０２はサンプル音楽の選択を示す操作情報をサンプル再生制御部１０３ｂに出力する。
【００３３】
サンプル再生制御部１０３ｂは、操作判定部１０２から入力された操作情報に基づいて、選択されたサンプル音楽の音響条件を音響装置４００に設定する制御を行う（ステップＳＴ５）。サンプル再生制御部１０３ｂは、選択されたサンプル音楽の文字情報をディスプレイ３００に表示する制御を行う（ステップＳＴ６）。操作判定部１０２は、異なるサンプル音楽を選択するユーザ操作が入力されたか否か判定を行う（ステップＳＴ７）。異なるサンプル音楽を選択するユーザ操作が入力された場合（ステップＳＴ７；ＹＥＳ）、操作判定部１０２はステップＳＴ７の判定結果を含む操作情報をサンプル再生制御部１０３ｂに出力し、ステップＳＴ５の処理に戻る。
【００３４】
一方、異なるサンプル音楽を選択するユーザ操作が入力されない場合（ステップＳＴ７；ＮＯ）、操作判定部１０２は再生中のサンプル音楽を選択するユーザ操作が入力されたか否か判定を行う（ステップＳＴ８）。再生中のサンプル音楽を選択するユーザ操作が入力されない場合（ステップＳＴ８；ＮＯ）、ステップＳＴ７の判定処理に戻る。一方、再生中のサンプル音楽を選択するユーザ操作が入力された場合（ステップＳＴ８；ＹＥＳ）、操作判定部１０２は、操作情報の操作種別が予め設定された第２の操作（例えば、長押し）であるか否か判定を行う（ステップＳＴ９）。第２の操作でなかった場合（ステップＳＴ９；ＮＯ）、フローチャートはステップＳＴ１７の処理に進む。
【００３５】
一方、第２の操作であった場合（ステップＳＴ９；ＹＥＳ）、操作判定部１０２は詳細設定制御部１０３ｃに対して詳細設定画面への画面遷移を指示する（ステップＳＴ１０）。詳細設定制御部１０３ｃは、ステップＳＴ１０で入力された指示に基づいて、詳細設定画面を描画する制御を行い（ステップＳＴ１１）、サンプル音楽の音響条件を音響装置４００に設定する制御を行う（ステップＳＴ１２）。操作判定部１０２は、音響条件を調整するユーザ操作が入力されたか否か判定を行う（ステップＳＴ１３）。音響条件を調整するユーザ操作が入力されない場合（ステップＳＴ１３；ＮＯ）、ステップＳＴ１６の処理に進む。
【００３６】
一方、音響条件を調整するユーザ操作が入力された場合（ステップＳＴ１３；ＹＥＳ）、操作判定部１０２は音響条件の調整を示す操作情報を詳細設定制御部１０３ｃに出力する。詳細設定制御部１０３ｃは、操作情報に基づいて、サンプル音楽の音響条件を調整する（ステップＳＴ１４）。詳細設定制御部１０３ｃは、調整したサンプル音楽の音響条件を音響装置４００に設定する制御を行い、音響条件をディスプレイ３００に表示させる制御を行う（ステップＳＴ１５）。操作判定部１０２は、詳細設定画面の終了ボタンが押下されたか否か判定を行う（ステップＳＴ１６）。終了ボタンが押下されていない場合（ステップＳＴ１６；ＮＯ）、ステップＳＴ１３の処理に戻る。一方、終了ボタンが押下された場合（ステップＳＴ１６；ＹＥＳ）、操作判定部１０２は音響条件の調整が終了したと判定し、音響設定制御部１０３ａに対して音響設定画面への画面遷移を指示する（ステップＳＴ１７）。音響設定制御部１０３ａは、ステップＳＴ１７で入力された指示に基づいて、音響設定画面を描画する制御を行い（ステップＳＴ１８）、処理を終了する。
【００３７】
次に、図４のフローチャートで示した各処理を、図２で示した具体例を参照しながら説明する。
まず、図２Ａで示した音響設定画面から、図２Ｂで示したサンプル再生画面に遷移し、次に図２Ｃで示した詳細設定画面に遷移し、音響条件が決定される場合について説明する。
ステップＳＴ１およびステップＳＴ２（ＹＥＳ）として、操作判定部１０２は、ユーザ操作Ａによって、図２Ａで示した音響設定画面の設定項目「イコライザ」のボタンが「長押し」されたと判定する。ステップＳＴ３として、操作判定部１０２は、サンプル再生制御部１０３ｂに対してサンプル再生画面への画面遷移を指示する。
【００３８】
ステップＳＴ４として、サンプル再生制御部１０３ｂは、図２Ｂで示したサンプル再生画面を描画する制御を行う。ステップＳＴ５として、サンプル再生制御部１０３ｂは、選択されたサンプル１のサンプル音楽の音響条件を音響装置４００に設定する制御を行う。ステップＳＴ６として、サンプル再生制御部１０３ｂは、説明表示領域Ｆに文字情報「サンプル１は・・・低音を強調しています」を表示する制御を行う。図２Ｂで示したサンプル再生画面において、「サンプル２」のショートカットボタンＤｂが押下されると、操作判定部１０２は、ステップＳＴ７の判定処理において「ＹＥＳ」と判定する。操作判定部１０２は、判定結果を含む操作情報をサンプル再生制御部１０３ｂに出力する。サンプル再生制御部１０３ｂは、サンプル２のサンプル音楽についての制御を行う。
【００３９】
一方、図２Ｂで示したサンプル再生画面において、「サンプル１」のショートカットボタンＤａが「長押し」されると、操作判定部１０２は、ステップＳＴ７の判定処理において「ＮＯ」およびステップＳＴ８の判定処理において「ＹＥＳ」と判定し、ステップＳＴ９の判定処理において「ＹＥＳ」と判定される。その結果、ステップＳＴ１０として、操作判定部１０２は、詳細設定制御部１０３ｃに対して詳細設定画面への画面遷移を指示する。ステップＳＴ１１およびステップＳＴ１２として、詳細設定制御部１０３ｃは、図２Ｃに示す詳細設定画面を描画する制御を行い、サンプル１のサンプル音楽の音響条件を音響装置４００に設定する制御を行う。
【００４０】
ステップＳＴ１３として、詳細設定領域Ｇにおいてユーザ操作Ｈの入力および調整ボタンＪの押下が行われると、操作判定部１０２は音響条件を調整するユーザ操作が入力されたと判定する。ステップＳＴ１４からステップＳＴ１６として、詳細設定制御部１０３ｃは、ユーザ操作Ｈに基づいて音響条件を調整し、調整した音響条件を音響装置４００に設定する制御および音響条件をディスプレイ３００に表示させる制御を行う。図２Ｃで示した詳細設定画面において終了ボタンＫが押下されると（ステップＳＴ１６；ＹＥＳ）、ステップＳＴ１７およびステップＳＴ１８として、音響設定制御部１０３ａは図２Ａで示した音響設定画面を描画する制御を行い、処理を終了する。
【００４１】
次に、図２Ａの音響設定画面から、図２Ｂサンプル再生画面に遷移し、音響パラメータが決定される場合について、図４のフローチャートに基づいて説明する。
ステップＳＴ１、ステップＳＴ２（ＹＥＳ）およびステップＳＴ３として、操作判定部１０２は、図２Ａで示した音響設定画面の設定項目ボタンが「長押し」されたと判定し、サンプル再生制御部１０３ｂに対してサンプル再生画面への画面遷移を指示する。ステップＳＴ４およびステップＳＴ５として、サンプル再生制御部１０３ｂは、図２Ｂに示すサンプル再生画面を描画する制御を行い、サンプル１のサンプル音楽の音響条件を音響装置４００に設定する制御を行う。
【００４２】
図２Ｂに示したサンプル再生画面において、「サンプル１」のショートカットボタンＤａが「短押し」されると、ステップＳＴ７の判定処理において「ＮＯ」およびステップＳＴ８の判定処理において「ＹＥＳ」と判定され、ステップＳＴ９の判定処理において「ＮＯ」と判定される。その結果、ステップＳＴ１７およびステップＳＴ１８として、音響設定制御部１０３ａは図２Ａで示した音響設定画面を描画する制御を行い、処理を終了する。
【００４３】
次に、図２Ａの音響設定画面から、図２Ｃの詳細設定画面に遷移し、音響パラメータが決定される場合について、図４のフローチャートに基づいて説明する。
ステップＳＴ１、ステップＳＴ２（ＮＯ）およびステップＳＴ１０として、操作判定部１０２は、図２Ａで示した音響設定画面の設定項目ボタンが「短押し」されたと判定し、詳細設定制御部１０３ｃに対して詳細設定画面への遷移を指示する。ステップＳＴ１１として、詳細設定制御部１０３ｃは、図２Ｃに示す詳細設定画面を描画する制御を行う。また、ステップＳＴ１２として、詳細設定制御部１０３ｃは、図２Ａで「短押し」された設定項目ボタン（例えば、イコライザ）に対応したサンプル音楽の音響条件を音響装置４００に設定する制御を行う。
【００４４】
ステップＳＴ１３として、詳細設定領域Ｇにおいてユーザ操作Ｈの入力および調整ボタンＪの押下が行われると、操作判定部１０２は音響条件を調整するユーザ操作が入力されたと判定する。ステップＳＴ１４からステップＳＴ１６として、詳細設定制御部１０３ｃは、ユーザ操作Ｈに基づいて音響条件を調整し、調整した音響条件を音響装置４００に設定する制御および音響条件をディスプレイ３００に表示させる制御を行う。図２Ｃで示した詳細設定画面において終了ボタンＫが押下されると（ステップＳＴ１６；ＹＥＳ）、ステップＳＴ１７およびステップＳＴ１８として、音響設定制御部１０３ａは図２Ａで示した音響設定画面を描画する制御を行い、処理を終了する。
【００４５】
なお、上記では、第１の操作および第２の操作をユーザの「長押し」操作として説明を行ったが、第１の操作および第２の操作の操作条件は適宜設定可能である。
【００４６】
上述した音響制御装置１００を、外部機器である車載の音響装置４００に適用する場合、音響制御装置１００は車載に特有の音響条件の設定も行う。車載に特有の音響条件の設定項目として、例えば「バランス・フェーダ」、「車載連動ＶＯＬ調整」および「タイムアライメント」等が挙げられる。以下、上述した各設定項目の詳細について説明する。
【００４７】
設定項目「バランス・フェーダ」は、前後左右の音量バランスを設定する項目である。車両のスピーカは、例えば運転席のドア、助手席のドア、および後部座席のドアに、それぞれ配置されている。ユーザは、設定項目「バランス・フェーダ」を調整することにより、各スピーカから出力させる前後左右の音声レベルを設定することができる。サンプル音楽蓄積部１０５に、各スピーカから出力される前後左右の音声レベルを、種々設定したサンプル音楽を蓄積しておく。ユーザは、図２Ｂで示したサンプル再生画面において、サンプル音楽蓄積部１０５に蓄積された各スピーカから出力される前後左右の音声レベルを変化させたサンプル音楽を再生し、選択することにより、好みの音声レベルを設定することができる。また、図２Ｃで示した詳細設定画面において、詳細にスピーカの前後左右の音声レベルを調整することができる。
【００４８】
設定項目「車載連動ＶＯＬ調整」は、車両の車速に応じて音量を調整する機能の調整幅を設定する項目である。車両が走行している場合、エンジン音および風切り音で、音楽が聴こえ辛くなる。そこで、設定項目「車載連動ＶＯＬ調整」を調整することにより、車両の車速に応じて音量を自動的に調整し、ユーザが快適に音楽を聴くことができる環境を整えることができる。設定項目「車載連動ＶＯＬ調整」の調整幅は、例えば３段階の設定で、数字が大きくなるほどＶＯＬ調整幅が大きくなる。サンプル音楽蓄積部１０５に、種々の調整幅で音量を調整したサンプル音楽を蓄積しておく。ユーザは、図２Ｂで示したサンプル再生画面において、サンプル音楽蓄積部１０５に蓄積された種々の調整幅で音量が調整されたサンプル音楽を再生し、選択することにより、好みの調整幅で音量調整を設定することができる。また、図２Ｃで示した詳細設定画面において、詳細に調整幅を調整することができる。
【００４９】
設定項目「タイムアライメント」は、車載の音響装置に特有のスピーカ位置による音のズレを補正する項目である。車両のスピーカは、例えば運転席のドア、助手席のドア、および後部座席のドアに、それぞれ配置され、運転席から各スピーカまでの距離が異なることから、音が耳に届く時間にズレが生じ、各スピーカからバラバラに音が聴こえる。そこで、設定項目「タイムアライメント」を調整することにより、各スピーカの距離差を補正し、音がユーザの耳に届くタイミングを均一に整えることができる。サンプル音楽蓄積部１０５に、各スピーカの距離差を種々の補正量で補正したサンプル音楽を蓄積しておく。ユーザは、図２Ｂで示したサンプル再生画面において、サンプル音楽蓄積部１０５に蓄積された種々の補正量で補正されたサンプル音楽を再生し、選択することにより、好みの補正量で各スピーカの距離差を設定することができる。また、図２Ｃで示した詳細設定画面において、詳細に補正量を調整することができる。
【００５０】
このように、音響制御装置１００の外部機器が、車載の音響装置４００である場合、乗員にとって音楽を聴きやすい環境を、サンプル音楽を利用して容易に設定することができる。また、サンプル音楽を利用して設定項目を調整することにより、乗員がサンプル音楽を体感しながら設定することができ、直観的に設定項目を調整することができる。
【００５１】
以上のように、この実施の形態１によれば、外部機器の音響条件の設定操作を受け付ける音響設定画面において、入力された操作が、音響条件を、予め蓄積されたサンプル音楽の選択により調整するサンプル再生画面への画面遷移を要求する操作であるか、または音響条件を、ユーザ操作に基づいて調整する詳細設定画面への画面遷移を要求する操作であるか判定を行う操作判定部１０２と、入力された操作がサンプル再生画面への画面遷移を要求する操作であると判定された場合に、サンプル再生画面を描画し、描画した当該サンプル再生画面において選択されたサンプル音楽の音響条件を外部機器に設定する制御を行うサンプル再生制御部１０３ｂと、入力された操作が詳細設定画面への画面遷移を要求する操作であると判定された場合に、詳細設定画面を描画し、描画した当該詳細設定画面においてユーザ操作によって調整された音響条件を外部機器に設定する制御を行う詳細設定制御部１０３ｃとを備えるように構成したので、ユーザは音響条件の各設定項目を設定した場合の効果を直感的に理解することができる。また、音響条件を設定する際の専門用語またはパラメータの意味を、ユーザが体感することができる。これらにより、ユーザは、音響装置に備わっている音響条件の設定機能を使いこなすことが可能となる。
【００５２】
また、この実施の形態１によれば、サンプル再生制御部１０３ｂが、異なる音響条件それぞれに対応したサンプル音楽の選択を受け付けるショートカットボタンを、サンプル再生画面に描画する制御を行うように構成したので、異なる音響条件のサンプル音楽を容易に選択することができる。
【００５３】
また、この実施の形態１によれば、操作判定部１０２が、サンプル再生画面に描画されたショートカットボタンのいずれかを選択したユーザ操作が、詳細設定画面への画面遷移を要求する操作であるか否か判定を行い、詳細設定制御部１０３ｃが、ユーザ操作が詳細設定画面への画面遷移を要求する操作であると判定された場合に、選択されたショートカットボタンに対応付けられたサンプル音楽の音響条件を反映した詳細設定画面を描画する制御を行うように構成したので、サンプル音楽の音響条件およびユーザ操作によって音響条件を指定することができる。これにより、全ての音響条件をユーザ操作のみによって指定するよりも、容易に音響条件を指定することができる。
【００５４】
また、この実施の形態１によれば、サンプル再生制御部１０３ｂが、ユーザ操作が詳細設定画面への画面遷移を要求する操作でないと判定された場合に、選択されたショートカットボタンに対応付けられたサンプル音楽の音響条件を外部機器に設定する制御を行うように構成したので、サンプル音楽の音響条件を用いて容易に音響条件を設定することができる。
【００５５】
また、この実施の形態１によれば、サンプル再生制御部１０３ｂが、サンプル再生画面において、選択されたサンプル音楽の音響条件の文字情報を表示する制御を行うように構成したので、サンプル音楽の音響条件の特徴を文字情報で確認することができる。ユーザは、サンプル音楽の音響条件の特徴を容易に認識することができる。
【００５６】
また、この実施の形態１によれば、上述した音響制御装置１００を車両に搭載して車載音響制御装置として構成したので、乗員にとって音楽を聴きやすい環境を、サンプル音楽を利用して容易に設定することができる。また、サンプル音楽を利用して設定項目を調整することにより、乗員がサンプル音楽を体感しながら設定することができ、直観的に設定項目を調整することができる。
【００５７】
なお、上述した実施の形態１では、図２Ｂで示したサンプル再生画面において入力されたユーザ操作の操作種別が予め設定された第２の操作（例えば、長押し）であった場合に詳細設定画面へ遷移する場合を示したが、サンプル再生画面において、詳細設定画面への遷移を指示するボタンを表示してもよい。同様に、サンプル再生画面において、処理を終了して音響設定画面への遷移を指示する終了ボタンを表示してもよい。
【００５８】
なお、本願発明はその発明の範囲内において、実施の形態の任意の構成要素の変形、もしくは実施の形態の任意の構成要素の省略が可能である。
【符号の説明】
【００５９】
１００  音響制御装置、１０１  操作情報取得部、１０２  操作判定部、１０３  制御部、１０３ａ  音響設定制御部、１０３ｂ  サンプル再生制御部、１０３ｃ  詳細設定制御部、１０４  描画データ蓄積部、１０５  サンプル音楽蓄積部。
【図１】
2018191122.tif 000003
【図２】
2018191122.tif 000004
【図３】
2018191122.tif 000005
【図４】
2018191122.tif 000006